(57)【要約】【課題】エアフローウインドウ内の窓部空気を、年間を通じて適切に取り扱うことが可能であると共に、冬季において、窓部空気の温熱をインテリアゾーンの空調に適合するように利用することが可能なエアフローウインドウを利用した空調装置を提供する。【解決手段】エアフローウインドウ６と、エアフローウインドウから室空間９の外方にわたって設けられ、第１のファン１４で、エアフローウインドウ内の窓部空気を室空間の外方へ流通させる第１の流路１３と、エアフローウインドウに寄せて設けられた吸い込み口１５ａ及びエアフローウインドウから離して設けられた吹き出し口１５ｂを有し、第２のファン１６で、室内空気を、吸い込み口から吹き出し口へ流通させて室空間に循環させる第２の流路１５と、第１の流路に、第１のファンの吐出側に位置させて設けられ、第１の流路の第２の流路に対する連通・遮断を切り替えるための流路切替手段１７とを備えた。【選択図】図１
2020134079.tif 000002
【特許請求の範囲】
【請求項１】
上下躯体の間に内外一対のガラスで挟んで形成され、通風可能な中空チャンバ状のエアフローウインドウと、
該エアフローウインドウから当該エアフローウインドウを有する室空間の外方にわたって設けられ、第１のファンで、該エアフローウインドウ内の窓部空気を該室空間の外方へ向けて流通させる第１の流路と、
上記エアフローウインドウに寄せて設けられた吸い込み口及び該エアフローウインドウから離して設けられた吹き出し口を有し、第２のファンで、室内空気を、該吸い込み口から該吹き出し口へ向けて流通させて上記室空間に循環させる第２の流路と、
上記第１の流路に、上記第１のファンの吐出側に位置させて設けられ、該第１の流路の上記第２の流路に対する連通・遮断を切り替えるための流路切替手段とを備えたことを特徴とするエアフローウインドウを利用した空調装置。
【請求項２】
前記第１のファンの運転、前記第２のファンの運転及び前記流路切替手段の切り替え動作を制御する制御装置を備え、
該制御装置には、前記エアフローウインドウの窓部内温度を計測する第１の温度センサ及び室空間内温度を計測する第２の温度センサそれぞれから温度計測値が入力され、
上記制御装置は、
窓部内温度が室空間内温度よりも高いときは、窓部空気を前記室空間へ供給するために、上記流路切替手段で前記第１の流路を前記第２の流路に連通させ、かつ上記第２のファンの停止状態で上記第１のファンを運転する第１循環モードに設定し、
該第１循環モードで室空間内温度が上昇したときは、窓部空気に室内空気を混合して循環させるために、上記第２のファンの運転を追加する第２循環モードに設定し、
窓部内温度が室空間内温度よりも低いときは、上記第１のファン及び上記第２のファンを停止する停止モードに設定することを特徴とする請求項１に記載のエアフローウインドウを利用した空調装置。
【請求項３】
前記室空間に外気を導入する外調機を備え、
前記制御装置には、上記室空間のＣＯ２濃度を計測するＣＯ２センサからＣＯ２濃度が入力され、
上記制御装置は、
ＣＯ２濃度が設定値以上であるとき、上記室空間へ外気を導入するために、前記流路切替手段で前記第１の流路から前記第２の流路を遮断しかつ前記第１のファン及び前記第２のファンを停止し、上記外調機を運転する外気導入モード、並びに窓部空気を該室空間の外方へ排出するために、該第１の流路から該第２の流路を遮断しかつ該第２のファンを停止し、該外調機及び該第１のファンを運転する換気モードのいずれかに設定し、
ＣＯ２濃度が設定値未満であるとき、上記外調機の運転を停止すると共に、室空間内温度に応じて、前記第１循環モード、前記第２循環モード及び前記停止モードのいずれかに設定することを特徴とする請求項２に記載のエアフローウインドウを利用した空調装置。
【発明の詳細な説明】
【技術分野】
【０００１】
本発明は、エアフローウインドウ内の窓部空気を、年間を通じて適切に取り扱うことが可能であると共に、冬季において、窓部空気の温熱をインテリアゾーンの空調に適合するように利用することが可能なエアフローウインドウを利用した空調装置に関する。
【背景技術】
【０００２】
窓際における日射などの温熱を利用した空調技術として、特許文献１及び２が知られている。特許文献１の「ペリメータ域の空気調和方法およびその空気調和方法を実施する空気調和装置」は、ペリメータ域専用の空気調和装置を用いることなくエアカーテンを形成すると共にペリメータ域の温度環境を改善することを目的とし、ペリメータ域に設置された室内機は、吸込口から室内空気を吸い込んで吹出口から上方へ吹き上げる。そして、外気負荷と共に排気ダクトから排気される。その際に、空気通路におけるファンより下流側に分岐ダクトから送出されてくるインテリア域用の一次空気を供給する。こうして、室内機の吸込口から吸い込まれた空気よりも多量の空気を吹出口から吹き出して、吹出口と排気口との間にエアカーテンを形成する。また、外気負荷を取り込んで吹出口と吸込口との間を循環する循環流に外気負荷に対抗する負荷（インテリア域用の一次空気）を加えることによって、ペリメータ域の温度環境を改善するようにしている。
【０００３】
特許文献２の「ペリメータ・インテリア空調装置及び空調方法」は、インテリア空調機によってペリメータゾーンの温熱環境をコントロールできるようにし、ペリメータ空調機を省略しても快適な温熱環境が実現できるペリメータレス空調が可能なペリメータ・インテリア空調装置及び空調方法を提供することを課題とし、外側窓と内側窓間にブラインドを有する二重窓を設けた建物におけるインテリアゾーンを空調するインテリア空調機を具備すると共に、前記二重窓内の空気を室外に排気する排気装置を備え、前記排気装置を前記外側窓とブラインド間の空気層から排気可能に設置すると共に、前記インテリア空調機を前記内側窓とブラインド間の空気層から選択的に吸気可能に構成したペリメータ・インテリア空調装置を構成している。
【先行技術文献】
【特許文献】
【０００４】
【特許文献１】特開平７−１６７４６０号公報
【特許文献２】特開２００２−１４７７９３号公報
【発明の概要】
【発明が解決しようとする課題】
【０００５】
背景技術から理解されるように、ペリメータゾーンの温熱環境は、日射等の影響で、春・秋の中間期に対し、夏は暑さが厳しく、冬であっても暑く感じる場合があって、その対策が各種施されてきた。
【０００６】
その対策の中で、エアフローウインドウ等の二重窓が用いられているが、このエアフローウインドウでは、内部の窓部空気が相当高温になるため、夏季では単に排気する一方で、冬季では、その温熱を室内空調に利用することが望まれる。特に、窓際から離れたインテリアゾーンの空調に適合するように窓部空気を温熱利用することが望まれる。
【０００７】
例えば、冬季において、室内空調により暖められているインテリアゾーンに向けて、窓部空気をそのまま引き入れて吹き込むことが考えられるが、このようにすると、すでに暖められているインテリアゾーンの室内空気に対し高温の窓部空気が室内で混ざり合うこととなり、インテリアゾーンが、温度斑のある温熱環境となってしまって不快感を生じさせることが考えられ、窓部空気の温熱利用とはいえ、快適な空調システムを実現することが難しかった。
【０００８】
本発明は上記従来の課題に鑑みて創案されたものであって、エアフローウインドウ内の窓部空気を、年間を通じて適切に取り扱うことが可能であると共に、冬季において、窓部空気の温熱をインテリアゾーンの空調に適合するように利用することが可能なエアフローウインドウを利用した空調装置を提供することを目的とする。
【課題を解決するための手段】
【０００９】
本発明にかかるエアフローウインドウを利用した空調装置は、上下躯体の間に内外一対のガラスで挟んで形成され、通風可能な中空チャンバ状のエアフローウインドウと、該エアフローウインドウから当該エアフローウインドウを有する室空間の外方にわたって設けられ、第１のファンで、該エアフローウインドウ内の窓部空気を該室空間の外方へ向けて流通させる第１の流路と、上記エアフローウインドウに寄せて設けられた吸い込み口及び該エアフローウインドウから離して設けられた吹き出し口を有し、第２のファンで、室内空気を、該吸い込み口から該吹き出し口へ向けて流通させて上記室空間に循環させる第２の流路と、上記第１の流路に、上記第１のファンの吐出側に位置させて設けられ、該第１の流路の上記第２の流路に対する連通・遮断を切り替えるための流路切替手段とを備えたことを特徴とする。
【００１０】
前記第１のファンの運転、前記第２のファンの運転及び前記流路切替手段の切り替え動作を制御する制御装置を備え、該制御装置には、前記エアフローウインドウの窓部内温度を計測する第１の温度センサ及び室空間内温度を計測する第２の温度センサそれぞれから温度計測値が入力され、上記制御装置は、窓部内温度が室空間内温度よりも高いときは、窓部空気を前記室空間へ供給するために、上記流路切替手段で前記第１の流路を前記第２の流路に連通させ、かつ上記第２のファンの停止状態で上記第１のファンを運転する第１循環モードに設定し；該第１循環モードで室空間内温度が上昇したときは、窓部空気に室内空気を混合して循環させるために、上記第２のファンの運転を追加する第２循環モードに設定し；窓部内温度が室空間内温度よりも低いときは、上記第１のファン及び上記第２のファンを停止する停止モードに設定することを特徴とする。
【００１１】
前記室空間に外気を導入する外調機を備え、前記制御装置には、上記室空間のＣＯ２濃度を計測するＣＯ２センサからＣＯ２濃度が入力され、上記制御装置は、ＣＯ２濃度が設定値以上であるとき、上記室空間へ外気を導入するために、前記流路切替手段で前記第１の流路から前記第２の流路を遮断しかつ前記第１のファン及び前記第２のファンを停止し、上記外調機を運転する外気導入モード、並びに窓部空気を該室空間の外方へ排出するために、該第１の流路から該第２の流路を遮断しかつ該第２のファンを停止し、該外調機及び該第１のファンを運転する換気モードのいずれかに設定し；ＣＯ２濃度が設定値未満であるとき、上記外調機の運転を停止すると共に、室空間内温度に応じて、前記第１循環モード、前記第２循環モード及び前記停止モードのいずれかに設定することを特徴とする。
【発明の効果】
【００１２】
本発明にかかるエアフローウインドウを利用した空調装置にあっては、エアフローウインドウ内の窓部空気を、年間を通じて適切に取り扱うことができると共に、冬季において、窓部空気の温熱をインテリアゾーンの空調に適合するように利用することができる。
【図面の簡単な説明】
【００１３】
【図１】本発明にかかるエアフローウインドウを利用した空調装置の第１実施形態を示す概略平面構成図である。
【図２】図１に示したエアフローウインドウを利用した空調装置を側方から見た図であって、図２（Ａ）は外調機の運転状態を、図２（Ｂ）は第２循環モード状態をそれぞれ説明する説明図である。
【図３】本発明にかかるエアフローウインドウを利用した空調装置の第２実施形態に備えられる制御装置を含む制御系の構成図である。
【図４】図３に示した制御装置による制御内容を説明する説明図である。
【図５】本発明にかかるエアフローウインドウを利用した空調装置の第３実施形態に備えられる外調機を含めた制御内容を説明する説明図である。
【図６】図５に示した第３実施形態の試験結果であって、図６（Ａ）は中間期の状況を、図６（Ｂ）は冬季の状況をそれぞれ示すグラフ図である。
【発明を実施するための形態】
【００１４】
以下に、本発明にかかるエアフローウインドウを利用した空調装置の好適な実施形態を、添付図面を参照して詳細に説明する。図１及び図２には、第１実施形態が示されている。
【００１５】
図１及び図２に示すように、建物１には、床スラブ２と直上階の床スラブ３との間に、当該直上階の床スラブ３下に設けられる天井４と、建物１の外方に面する側から建物１の奥へ向けて、互いに間隔を隔てて設けられた一対の間仕切り壁５と、建物１の外方に面して開放された開口部に設けられるエアフローウインドウ６と、エアフローウインドウ６とは反対側で、建物１内部の廊下７から仕切る廊下側壁８とで区画されて、室空間９が形成される。
【００１６】
エアフローウインドウ６は例えば、一対の間仕切り壁５の間に配置して、床スラブ２と直上階の床スラブ３との間に、内外一対のガラス１０で挟んで、中空チャンバ状に形成される。エアフローウインドウ６の下部には、エアフローウインドウ６内部を通風可能とするために、室空間９と連通される通気通路（図示せず）が形成される。また、エアフローウインドウ６内部には、室空間９への日射量を調整するために、ブラインド１１が設けられる。
【００１７】
室空間９の天井４と直上階の床スラブ３との間に形成される天井裏空間１２には、エアフローウインドウ６内部に一端が連通された第１の流路１３が室空間９の外方にわたって延設される。第１の流路１３はダクトなどで構成される。第１の流路１３の途中には、エアフローウインドウ６内の窓部空気を室空間９の外方へ向けて流通させるために、窓部空気をエアフローウインドウ６から吸引し室空間９外方へ向けて吐出する第１のファン１４が設けられる。
【００１８】
天井裏空間１２には、エアフローウインドウ６に寄せて、すなわちペリメータゾーン側に設けられた吸い込み口１５ａと、エアフローウインドウ６から離して、すなわちペリメータゾーンよりも室空間奥のインテリアゾーン側に設けられた吹き出し口１５ｂを有する第２の流路１５が設けられる。
【００１９】
第２の流路１５は、ダクトなどで構成され、第１の流路１３と並列に設けられる。吸い込み口１５ａ及び吹き出し口１５ｂは、天井４に形成される開口部に配置される。第２の流路１５の途中には、室空間内の空気、すなわち室内空気を、ペリメータゾーン側の吸い込み口１５ａから吸い込み、吹き出し口１５ｂへ向けて流通させ、インテリアゾーン側へ吹き出して、室内空気を室空間９に循環させる第２のファン１６が設けられる。
【００２０】
天井裏空間１２には、第１のファン１４の吐出側１４ａに位置させて、第１の流路１３に流路切替手段１７が設けられる。流路切替手段１７は、第２のファン１６の吐出側１６ａと連結される。図示例にあっては、第２の流路１５は、これより分岐する分岐流路１８を介して、流路切替手段１７に連結される。分岐流路１８も、ダクトなどで構成される。
【００２１】
流路切替手段１７は、第１の流路１３をエアフローウインドウ６側から室空間９の外方へ連通するために、第１の流路１３を開放しかつ分岐流路１８を封鎖して、第２の流路１５に対する第１の流路１３の遮断を行う第１切替位置と、第１の流路１３を流れる窓部空気を第２の流路１５へ流通させるために、分岐流路１８を開放しかつ第１の流路１３を封鎖して、第２の流路１５に対する第１の流路１３の連通を行う第２切替位置とに切替動作されるように構成される。
【００２２】
流路切替手段１７としては、流路を封鎖したり開放したりするダンパ機構などで構成される。
【００２３】
第１実施形態の作用を説明すると、第１の作用として、例えば夏季など、室内温度が外気温よりも低い適温となるように室内空調機による室内空調で維持していて、かつ窓部空気の温度が高いときには、流路切替手段１７を第１切替位置にし、窓部空気を第１のファン１４で第１の流路１３に流通させて、室空間９の外方へ排気する。この排気によって室空間９の温熱環境を緩和することができる。
【００２４】
他方、第２の作用として、例えば冬季など、室内温度が外気温よりも高い適温となるように室内空調機による室内空調で維持していて、かつ窓部空気の温度が日射等によって高いときには、流路切替手段１７を第２切替位置にし、第１のファン１４で窓部空気を第１の流路１３から第２の流路１５に流通させ（第２のファン１６は停止しておく）、吹き出し口１５ｂから室空間９（インテリアゾーン）へ吹き出す。この吹き出しによって室空間９の温熱環境・室内空調負荷を緩和することができる。
【００２５】
さらに、第２の作用の場合に、室内温度を室内空調で維持していて、かつ窓部空気の温度が相当に高温であるときには、当該窓部空気をそのまま室空間９へ吹き出すと、吹き出した窓部空気の温熱塊が室空間９に散在し、温度斑が生じて、快適性が損なわれるおそれがある。
【００２６】
このような場合には、第３の作用として、流路切替手段１７を第２切替位置にし、窓部空気を第１のファン１４で第１の流路１３から第２の流路１５に流通させると共に、室内空気を第２のファン１６で第２の流路１５に流通させる。このようにすれば、循環する室内空気に窓部空気を混合することができ、この混合した温熱空気を吹き出し口１５ｂから吹き出すことで、室空間９の温熱環境の快適性を向上することができる。
【００２７】
これら第１〜３の作用は、上記例示に限らず、第１のファン１４の運転、第２のファン１６の運転、並びに流路切替手段１７の切替操作で簡単にいつでも作り出すことができ、これにより、四季を通じて、室空間９を好ましい温熱環境にすることができる。
【００２８】
次に、本発明に係るエアフローウインドウを利用した空調装置の第２実施形態を、図１〜３を参照して説明する。第２実施形態は、第１実施形態の空調装置に、第１のファン１４の運転、第２のファン１６の運転及び流路切替手段１７の切替動作を制御する制御装置１９を備えて構成される。
【００２９】
従って、制御装置１９から、これら第１及び第２のファン１４，１６と、流路切替手段１７とに制御信号が出力されるように構成される。図示例では、制御装置１９は、天井裏空間１２に設置されている。
【００３０】
制御装置１９には、エアフローウインドウ６の窓部内温度を計測する第１の温度センサ２０と、室空間内温度を計測する第２の温度センサ２１それぞれから温度計測値が入力される。
【００３１】
図２に示すように、第１の温度センサ２０は、エアフローウインドウ６内部に設けられ、窓部内温度の温度計測値は、無線で制御装置１９に入力される。第２の温度センサ２１は、ペリメータゾーンに設けられ、室空間内温度の温度計測値は、無線で制御装置１９に入力される。
【００３２】
図示例にあっては、追加の温度センサ２２がインテリアゾーンに設けられていて、この追加の温度センサ２２で計測された室空間内温度の温度計測値を無線で制御装置１９に入力するようにしてもよい。
【００３３】
制御装置１９は、空調モードを、次の３つのモードに設定するように構成される（図４も参照）。
【００３４】
（１）第１循環モード：窓部内温度が室空間内温度よりも高いときは、流路切替手段１７を第２切替位置にして第１の流路１３を第２の流路１５に連通させると共に、第２のファン１６の停止状態で第１のファン１４を運転（稼働）する。これにより、窓部空気を室空間９へ供給することができ、上記第２の作用の空調制御を達成することができる。
【００３５】
（２）第２循環モード：第１循環モード（第２の作用）で室空間内温度が上昇したときには、第２のファン１６を追加して運転（稼働）する。これにより、窓部空気に室内空気を混合して、室空間９へ循環させることができ、上記第３の作用の空調制御を達成することができる。
【００３６】
例えば夏季のように窓部内温度が室空間内温度に比して非常に高いときや、冬季でも窓部内温度が室空間内温度に比して低いときは、当該窓部空気を室空間９に導入することが好ましくないので、制御装置１９は、これらの場合に、窓部内温度の温度測定値から、以下の２つのモードのいずれかで運転が可能なように構成される。
【００３７】
（３）換気モード：流路切替手段１７を第１切替位置にして第１のファン１４を運転し、窓部空気を第１の流路１３を介してエアフローウインドウ６から室空間９の外方へ排出する。
【００３８】
（４）停止モード：第１及び第２のファン１４，１６の運転を停止する。流路切替手段１７は、第１切替位置または第２切替位置のいずれであってもよい。高温の窓部空気の排出により、空調負荷を低減でき、また、運転停止により、省エネルギ化を確保することができる。
【００３９】
第２実施形態に係るエアフローウインドウを利用した空調装置では、窓部内温度及び室空間内温度に基づいて、第１実施形態の空調装置を適切に制御して、良好な温熱環境の室空間９とすることができる。
【００４０】
次に、本発明に係るエアフローウインドウを利用した空調装置の第３実施形態を、図１〜６を参照して説明する。第３実施形態は、第２実施形態の空調装置に、室空間９へ外気の導入を行う外調機２３を組み合わせて構成される。外調機２３からの外気は、室空間９に導入されると、その一部は通風可能なエアフローウインドウ６内へ取り込まれ、窓部空気となる。
【００４１】
室空間９には、室空間９内のＣＯ２濃度を計測するＣＯ２センサ２４が設けられ、ＣＯ２センサ２４からＣＯ２濃度が無線で制御装置１９及び外調機２３に入力される。外調機２３は、それ自身で自動制御され、ＣＯ２濃度が設定値、例えば１，０００ｐｐｍ以上のとき運転（稼働）され、設定値未満のとき、その運転が停止される。
【００４２】
制御装置１９は、ＣＯ２濃度が設定値未満のとき、上記の（１）第１循環モード、（２）第２循環モード、並びに（４）停止モードのいずれかを選択して、上述した第２のファン１６等を制御し、他方、ＣＯ２濃度が設定値以上のときは、外調機２３と連動して、上記の（３）換気モードを設定するように構成される。
【００４３】
空調制御の流れを、図４及び図５を参照して説明すると、外調機２３、第１のファン１４及び第２のファンが停止し、流路切替手段１７が第１切替位置または第２切替位置のいずれか、図示例では第２切替位置にある停止モードから運転が開始される。
【００４４】
ＣＯ２濃度が設定値以上であるとき、制御装置１９は、流路切替手段１７を第１切替位置（排気）とすると共に、第１及び第２のファン１４，１６を停止状態に維持し、他方、外調機２３は、ＣＯ２濃度が設定値以上であることに応じて、運転を開始する。
【００４５】
これにより、外気導入モード（Ａ２）となり、室空間９に外気を導入することができ、ＣＯ２濃度を下げることができる。導入された外気は、その一部がエアフローウインドウ６内へ流入し、また、室空間９の隙間から外部へ排出される。
【００４６】
窓部内温度が夏季において高かったり、冬季において低い場合には、制御装置１９は、（３）換気モード（Ａ１）を実行する。（３）換気モードでは、外調機２３による室空間９への外気の導入を行うと同時に、制御手段１９は上述したように、流路切替手段１７を第１切替位置に設定し、第２のファン１６の停止状態を維持した状態で、第１のファン１４を運転する。これにより、窓部空気を室空間９の外方へ排出できると同時に、ＣＯ２濃度を下げることができる。
【００４７】
ＣＯ２濃度が所定値未満であるとき、外調機２３自身の自動制御で、運転が停止する。制御装置１９は、上述した窓部内温度に対する室空間内温度に応じて、具体的には、窓部内温度が室空間内温度と比較して高いとき、（１）第１循環モード（Ｂ１）を実行し、その状態で、室空間内温度が上昇したときには、（２）第２循環モード（Ｂ２）を実行する。
【００４８】
これにより、エアフローウインドウ６を有する室空間９における室空間内温度の適温化を達成することができる。
【００４９】
また、ＣＯ２濃度が所定値未満であってかつ窓部内温度が室空間内温度よりも低いときには、制御装置１９は、上記の（４）停止モード（Ｃ）を実行し、これにより、省エネルギ化を確保することができる。
【００５０】
以上の制御は、ＣＯ２濃度の計測値及び窓部内温度と室空間内温度の比較等を常時行って、ループ処理される。
【００５１】
図６は、本実施形態に係るエアフローウインドウを利用した空調装置の試験結果を示すグラフ図である。図６（Ａ）は、春季または秋季の中間期に行ったもの、図６（Ｂ）は、冬季に行ったものである。縦軸に温度、横軸に一日の時間経過がとられている。
【００５２】
図６（Ａ）の中間期では、制御は、停止モード（Ｃ）→第１循環モード（Ｂ１）→第２循環モード（Ｂ２）→外気導入モード（Ａ２）→停止モード（Ｃ）の順に移行した。
【００５３】
昼頃に窓部内温度が上昇してきたことに応じて、制御装置１９は、（１）第１循環モード（Ｂ１）を設定し、第１の流路１３の窓部空気が、第２の流路１５を介して、室空間９へ吹き出された。吹き出し口１５ｂにおける吹き出し空気の温度は、３４〜３５℃程度であり、これにより、室空間内温度が上昇し始めた。
【００５４】
制御装置１９は、引き続き（２）第２循環モード（Ｂ２）を設定し、循環する室内空気と窓部空気との混合空気が室空間９へ吹き出された。吹き出し口１５ｂにおける吹き出し空気の温度は、３．５℃低下した３１℃程度となり、室空間内温度の上昇傾向が抑えられた。
【００５５】
図６（Ｂ）の冬季では、上記と同じ時間帯の制御は、換気モード（Ａ１）→第１循環モード（Ｂ１）→第２循環モード（Ｂ２）→換気モード（Ａ１）の順に移行した。
【００５６】
窓部内温度は、日射量等に従って変化している。換気モード（Ａ１）を設定していた制御装置１９は、（１）第１循環モード１（Ｂ１）に移行し、第１の流路１３の窓部空気が、第２流路１５を介して、室空間９へ吹き出された。吹き出し口１５ｂにおける吹き出し空気の温度は、３２〜３３℃程度であった。
【００５７】
制御装置１９は、引き続き（２）第２循環モード（Ｂ２）を設定し、循環する室内空気と窓部空気との混合空気が室空間９へ吹き出された。吹き出し口１５ｂにおける吹き出し空気の温度は、３．０℃低下した３０℃程度となり、室空間内温度がほぼ一定に維持された。
【００５８】
第３実施形態に係るエアフローウインドウを利用した空調装置では、外調機２３と組み合わせて、第２実施形態の空調装置を適切に制御して、良好な温熱環境の室空間とすることができる。
【００５９】
以上説明したすべての実施形態に係るエアフローウインドウを利用した空調装置にあっては、エアフローウインドウ６の窓部空気を、夏季では単に排気する一方で、冬季では、その温熱を室内空調に利用することができる。第２の流路１５の吹き出し口１５ｂが、窓際から離れたインテリアゾーンに設けられるので、当該ゾーンの空調に適合するように窓部空気を温熱利用することができる。
【００６０】
冬季において、室内空調により暖められているインテリアゾーンに向けて、窓部空気をそのまま引き入れて吹き込む態様だけでなく、循環する室内空気と窓部空気とを混合して吹き込む態様で空調を行うので、インテリアゾーンが温度斑のある温熱環境となることを防止して、窓部空気の温熱利用による快適な空調システムを実現することができる。
【００６１】
すなわち、エアフローウインドウ６内の窓部空気を、年間を通じて適切に取り扱うことができると共に、冬季において、窓部空気の温熱をインテリアゾーンの空調に適合するように利用することができ、室空間９に快適な温熱環境を作り出すことができる。
【符号の説明】
【００６２】
２  床スラブ
３  直上階の床スラブ
６  エアフローウインドウ
９  室空間
１０  ガラス
１３  第１の流路
１４  第１のファン
１４ａ  第１のファンの吐出側
１５  第２の流路
１５ａ  吸い込み口
１５ｂ  吹き出し口
１６  第２のファン
１７  流路切替手段
１９  制御装置
２０  第１の温度センサ
２１  第２の温度センサ
２３  外調機
２４  ＣＯ２センサ
【図１】
2020134079.tif 000003
【図２】
2020134079.tif 000004
【図３】
2020134079.tif 000005
【図４】
2020134079.tif 000006
【図５】
2020134079.tif 000007
【図６】
2020134079.tif 000008